Podtech/llm-jp-corpus-v4-ja_patent huggingface dataset:
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
ランダム・アクセスＭＡＣプロトコルを使用してネットワークの複数のノードの間で確立された少なくとも１つの通信リンクのチャネル損失レートをオンラインで計算する方法であって、
ｉ）プロービング・ウインドウ内の時間を分割し、各プロービング・ウインドウの間に、送信機ノードから当該送信機ノードにリンクされた受信機ノードに選択された数Ｓのプローブ・パケットを送信するステップと、
ｉｉ）プロービング・ウインドウの間に前記通信リンク上で損失の生じたプローブ・パケットに基づいてパケット損失レートを測定するステップと、
ｉｉｉ）Ｓよりも小さなサイズＷｋを各々が有する、プロービング・ウインドウよりも小さな複数のスライディング・ウインドウを用いて各プロービング・ウインドウを走査してチャネル損失のみが生じるスライディング・ウインドウを識別し、次に、当該識別されたスライディング・ウインドウに基づいて前記通信リンク上のチャネル損失レートを計算するステップと、
を含むことを特徴とする、前記方法。
【請求項２】
ｉｖ）前記測定されたパケット損失レートから前記計算されたチャネル損失レートを減算することによって、前記通信リンク上のコリジョン損失レートを計算するステップをさらに含むことを特徴とする、請求項１に記載の方法。
【請求項３】
前記ステップｉ）において、前記送信機ノードは、ネットワーク層パケットであるプローブ・パケットを送信することを特徴とする、請求項１または２に記載の方法。
【請求項４】
前記ステップｉ）において、データ・パケット内に挿入される専用の制御パケットまたは専用のデータとして前記送信されるプローブ・パケットが実施されることを特徴とする、請求項３に記載の方法。
【請求項５】
前記ステップｉ）において、各プロービング・ウインドウが時間ウインドウであることを特徴とする、請求項１〜４のいずれか１項に記載の方法。
【請求項６】
前記ステップｉ）において、プロービング・ウインドウの間に送信される各プローブ・パケットは、プローブ・パケットであることを示すビットを含むことを特徴とする、請求項５に記載の方法。
【請求項７】
前記ステップｉ）において、各プロービング・ウインドウは、Ｓ個の関連付けられたプローブ・パケットの各々におけるシーケンス番号によって定義されることを特徴とする、請求項１〜４のいずれか１項に記載の方法。
【請求項８】
前記ステップｉｉｉ）において、各プロービング・ウインドウは、より小さなスライディング・ウインドウを使用した１つのプローブ・パケットを単位として走査される、請求項１〜７のいずれか１項に記載の方法。
【請求項９】
前記ステップｉｉｉ）において、サイズＷｋを有するプロービング・ウインドウの各スライディング・ウインドウについて、前記スライディング・ウインドウの前記サイズＷｋで前記スライディング・ウインドウの間に損失の生じたプローブ・パケットの数を分割することによって一次パケット損失レートを判定し、次に、最小サイズＷｍｉｎとＳとの間に含まれる選択された数の異なるサイズＷｋについて、前記判定を再現し、次に、前記関連付けられた判定された一次パケット損失レートから、前記異なるサイズＷｋの各々について、二次パケット損失レートを判定し、次に、前記異なるサイズＷｋのうち、チャネル損失レートの最良の推定値を提供するサイズＷｋを判定することを特徴とする、請求項１〜８のいずれか１項に記載の方法。
【請求項１０】
前記可変の閾値は、（１−ε）．ｐであり、ここで、εは、０よりも大きく、１よりも小さい選択されたパラメータであることを特徴とする、請求項９に記載の方法。
【請求項１１】
ランダム・アクセスＭＡＣプロトコルを使用してネットワークの複数のノードの間で確立された少なくとも１つの通信リンクのチャネル損失レートをオンラインで計算する装置であって、
送信機ノードから受信機ノードに前記通信リンク上でＳ個のプローブ・パケットが送信されるプロービング・ウインドウの間に前記通信リンク上で損失が生じたプローブ・パケットに基づいてパケット損失レートを測定するように構成された測定手段と、
Ｓよりも小さなサイズＷｋを各々が有する、プロービング・ウインドウよりも小さな複数のスライディング・ウインドウを用いて各プロービング・ウインドウを走査してチャネル損失のみが生じるスライディング・ウインドウを識別し、次に、当該識別されたスライディング・ウインドウに基づいて前記通信リンク上のチャネル損失レートを計算するように構成された第１の計算手段と、
を含むことを特徴とする、前記装置。
【請求項１２】
ランダム・アクセスＭＡＣプロトコルを使用してネットワーク内に通信するように意図されたノードであって、請求項１１に記載の装置を含むことを特徴とする、前記ノード。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
ユーザが、電話番号及び数値のＰＩＮ（ｐｅｒｓｏｎａｌ  ｉｄｅｎｔｉｆｉｃａｔｉｏｎ  ｎｕｍｂｅｒ）を入力するための、電話の入力コンポーネントと、
前記電話番号及び数値のＰＩＮを受信してユーザ名と証明書を検索し、前記ユーザ名と証明書に基づいて前記電話を電話インフラに設定するための、設定コンポーネントと
を備える、コンピュータ実装通信システム。
【請求項２】
ＳＩＰ  ＵＲＩ（ｓｅｓｓｉｏｎ  ｉｎｉｔｉａｔｉｏｎ  ｐｒｏｔｏｃｏｌ  ｕｎｉｆｏｒｍ  ｒｅｓｏｕｒｃｅ  ｉｄｅｎｔｉｆｉｅｒ）を前記電話に割り当て、前記ＳＩＰ  ＵＲＩと前記ＰＩＮに基づいて前記電話インフラにアクセスするための、設定コンポーネントをさらに備える、請求項１に記載のシステム。
【請求項３】
前記電話番号及び数値のＰＩＮに基づいて前記電話を前記電話インフラに対して認証するための認証コンポーネントをさらに備える、請求項１に記載のシステム。
【請求項４】
前記電話インフラが、ＩＰ（ｉｎｔｅｒｎｅｔ  ｐｒｏｔｏｃｏｌ）電話の音声メッセージを処理するための企業メッセージング・サーバをさらに備える、請求項１に記載のシステム。
【請求項５】
前記電話インフラのＩＰアドレスまたはドメイン名のうち少なくとも１つを前記電話に提供するための場所コンポーネントをさらに備える、請求項１に記載のシステム。
【請求項６】
前記場所コンポーネントが、企業通信サーバのＩＰアドレスとＦＱＤＮ（ｆｕｌｌｙ  ｑｕａｌｉｆｉｅｄ  ｄｏｍａｉｎ  ｎａｍｅ）を前記電話に返すための動的ホスト構成サーバをさらに備える、請求項５に記載のシステム。
【請求項７】
コンピュータが前記コンピュータに記憶されたコンピュータ実行可能命令を実行すると、前記コンピュータによって実行されるコンピュータ実装通信方法であって、
ユーザ識別子とＰＩＮを用いてユーザの電話を通信ネットワークに対して認証することと、
前記ユーザ識別子と前記ＰＩＮに基づいて証明書を前記電話に発行することと、
前記証明書を用いて前記電話を前記ネットワークに登録することと、
を含む方法。
【請求項８】
前記証明書の公開鍵を送信してデータベースに格納することによって、前記電話を設定することをさらに含む、請求項７に記載の方法。
【請求項９】
前記ユーザ識別子と前記ＰＩＮに基づいて、ユーザのＳＩＰ  ＵＲＩを前記電話に送信することをさらに含む、請求項７に記載の方法。
【請求項１０】
証明書ウェブ・サービスのアドレスとレジストラのＦＱＤＮを前記電話に送信することをさらに含む、請求項７に記載の方法。
【請求項１１】
前記電話を用いて証明書設定ウェブ・サービスを発見し、前記ウェブ・サービスに接続して証明書チェーンをダウンロードすることをさらに含む、請求項７に記載の方法。
【請求項１２】
証明書署名要求を作成して前記電話から前記証明書設定ウェブ・サービスに提出することをさらに含む、請求項１１に記載の方法。
【請求項１３】
通信サーバにより前記証明書に署名することをさらに含む、請求項７に記載の方法。
【請求項１４】
初期登録後、以降の全ての登録に対して、ＳＩＰメッセージをレジストラのＦＱＤＮに送信することと、
前記証明書を認証することと、
前記証明書と証明書パラメータに基づいて前記電話を認証することと、
をさらに含む、請求項７に記載の方法。
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2012525406.tif 000001
の化合物を調製するための方法であって、トリハロアルキル／アルコール溶媒中、および分子篩の存在下で、約３０℃乃至約６０℃の間に式（ＩＩ）：
【化２】
2012525406.tif 000002
の化合物を加熱して、前記式（Ｉ）の化合物を生成するステップを含み、
式中、
ＲおよびＲ1は、それぞれ独立して、Ｃ11−Ｃ29直鎖脂肪族ヒドロカルビル基であり、
Ｙは、ハロゲン、酢酸塩、コハク酸塩、またはクエン酸塩である、方法。
【請求項２】
ａ）式（ＩＶ）の化合物中の第２級アミノ基を保護して、式（Ｖ）の化合物を提供し、
【化３】
2012525406.tif 000003
ｂ）前記式（Ｖ）の化合物中の第１級アルコール基を保護して、式（ＶＩ）の化合物を提供し、
【化４】
2012525406.tif 000004
ｃ）前記式（ＶＩ）の化合物を脱保護して、式（ＩＩ）の化合物を提供する
【化５】
2012525406.tif 000005
工程をさらに含み、
式中、
Ｘ’は、二炭酸ジ−ｔｅｒｔ−ブチル（（ＢＯＣ）2Ｏ）であり、
Ｘは、ｔｅｒｔ−ブチルオキシカルボニル（ＢＯＣ）であり、
Ｚは、ＯＣＯＲまたはＯＣＯＲ1である、請求項１に記載の方法。
【請求項３】
ＲおよびＲ1は、それぞれ、
【化６】
2012525406.tif 000006
であり、
Ｙは、クロロである、請求項１又は２に記載の方法。
【請求項４】
前記トリハロアルキル／アルコール溶媒は、約４：１ｖ／ｖ混合物である、請求項１又は２に記載の方法。
【請求項５】
前記トリハロアルキル溶媒は、クロロホルムまたはブロモホルムであり、前記アルコール溶媒は、メタノール、エタノール、プロパノール、またはイソプロパノールである、請求項４に記載の方法。
【請求項６】
前記トリハロアルキル溶媒は、クロロホルムであり、前記アルコール溶媒は、メタノールである、請求項５に記載の方法。
【請求項７】
前記分子篩は、２〜５Ａ分子篩である、請求項１又は２に記載の方法。
【請求項８】
前記分子篩は、３〜４Ａ分子篩である、請求項１又は２に記載の方法。
【請求項９】
前記分子篩は、４Ａ分子篩である、請求項１又は２に記載の方法。
【請求項１０】
前記分子篩は、４Ａ分子篩であり、かつ、約１：１乃至約３：１ｗ／ｗ比の４Ａ分子篩／式（ＩＩ）の化合物で存在する、請求項９に記載の方法。
【請求項１１】
前記４Ａ分子篩は、約１：２ｗ／ｗ比の４Ａ分子篩／式（ＩＩ）の化合物で存在する、請求項９に記載の方法。
【請求項１２】
前記式（ＩＩ）の化合物は、約４乃至約２４時間にわたって、約５５℃まで加熱される、請求項１又は２に記載の方法。
【請求項１３】
シリカゲルクロマトグラフィおよびアセトンからの再結晶化によって、前記式（Ｉ）の化合物を精製することをさらに含む、請求項１又は２に記載の方法。
【請求項１４】
前記式（Ｉ）の化合物は、式（ＩＩＩ）：
【化７】
2012525406.tif 000007
を有する、請求項１又は２に記載の方法。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
基材上に少なくとも１種の半導体金属酸化物を含有する層を製造する方法であって、少なくとも以下の工程：
（Ａ）相応する金属の、少なくとも３個の炭素原子を有するモノ−、ジ−若しくはポリカルボン酸のカルボキシレート、又はモノ−、ジ−若しくはポリカルボン酸の誘導体、アルコキシド、セミカルバジド、カルバメート、ヒドロキサメート、イソシアネート、アミジン、アミドラゾン、尿素誘導体、オキシム、ウレタン、アミン、ホスフィン、アンモニウム化合物、アジド、電気的に中性の［（ＯＨ）x（ＮＨ3）yＺｎ］z（ｘ、ｙ及びｚは、互いに無関係に、０．０１〜１０であり、該化合物は、固体の酸化亜鉛及び／又は水酸化亜鉛をアンモニアと反応させることによって得られる）及びそれらの混合物から成る群から選択される、少なくとも１種の金属酸化物の少なくとも１種の前駆体化合物を含有する溶液を、少なくとも１種の溶媒中で製造する工程、
（Ｂ）工程（Ａ）からの溶液を基材に施与する工程及び
（Ｃ）該少なくとも１種の前駆体化合物を、少なくとも１種の半導体金属酸化物に変えるために、工程（Ｂ）からの基材を、２０〜２００℃の温度で熱処理する工程を包含し、
その際、電気的に中性の［（ＯＨ）x（ＮＨ3）yＺｎ］z（ｘ、ｙ及びｚは、互いに無関係に、０．０１〜１０である）を、固体の酸化亜鉛及び／又は水酸化亜鉛をアンモニアと反応させることによって得る、基材上に少なくとも１種の半導体金属酸化物を含有する層を製造する方法。
【請求項２】
前記少なくとも１種の半導体金属酸化物が、酸化亜鉛ＺｎＯであることを特徴とする、請求項１記載の方法。
【請求項３】
前記基材が機械的にフレキシブルであり、かつ少なくとも１種のプラスチックを包含することを特徴とする、請求項１又は２記載の方法。
【請求項４】
前記半導体金属酸化物が、Ａｌ3+、Ｉｎ3+、Ｓｎ4+、Ｇａ3+及びそれらの混合物から成る群から選択される金属カチオンでドープされていることを特徴とする、請求項１から３までのいずれか１項記載の方法。
【請求項５】
前記工程（Ａ）からの溶液の施与を、工程（Ｂ）で、スピンコーティング、スプレーコーティング、ディップコーティング、ドロップキャスティング及び／又は印刷によって行うことを特徴とする、請求項１から４までのいずれか１項記載の方法。
【請求項６】
請求項１から５までのいずれか１項記載の方法によって得られる、少なくとも１種の半導体金属酸化物で被覆されている基材。
【請求項７】
電子構成品における請求項６記載の基材の使用方法。
【請求項８】
前記電子構成品が、ＴＦＴ、ＲＦＩＤタグ又はディスプレイであることを特徴とする、請求項７記載の方法。
【請求項９】
請求項１記載の少なくとも工程（Ａ）、（Ｂ）及び（Ｃ）を包含する、半導体構成品の製造法。
【請求項１０】
固体の酸化亜鉛及び／又は水酸化亜鉛をアンモニアと反応させることによって、電気的に中性の［（ＯＨ）x（ＮＨ3）yＺｎ］z（ｘ、ｙ及びｚは、互いに無関係に、０．０１〜１０である）を製造する方法。
【手続補正書】
【提出日】平成25年4月10日(2013.4.10)
【手続補正１】
【補正対象書類名】特許請求の範囲
【補正対象項目名】請求項１
【補正方法】変更
【補正の内容】
【請求項１】
分離、脱水または脱塩の設備から生じるオイル／水界面（即ち「ラグ」）を処理する方法であって、
(i)  ラグ源から一定量のラグを取り除く工程と、
(ii)  前記一定量のラグにポンプを通過させ、加圧されたラグを提供する工程であって、前記ポンプによりもたらされる圧力が、ラグの水分の沸騰を防止し且つラグの低級炭化水素成分の揮発を防止するに十分なものである、工程と、
(iii)  前記加圧ラグを第１の温度に加熱する工程と、
(iv)  前記加熱されたラグを一定量の希釈剤と混ぜる工程であって、希釈剤の量は、約３０ＡＰＩのラグを産出するのに十分なものである、工程と、
(v)  前記３０ＡＰＩのラグを約３００°Ｆ（＝１４９℃）よりも低い第２の温度に冷却する工程と、
(vi)  前記冷却された３０ＡＰＩのラグを分離装置で処理して、そこから少なくとも水および固形分の大部分を除去する工程と、
を備えた界面ラグの処理方法。
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
複数のナノ構造、高分子配位子および前記ナノ構造が埋め込まれる有機高分子を含む組成物であって、
前記配位子は、シリコーン骨格、ならびに前記シリコーン骨格に連結している１個以上の第１級アミンおよび／または第２級アミン部分を含み、
前記高分子配位子が過剰に提供され、それにより、前記配位子のいくつかの分子は前記ナノ構造の表面に結合し、前記配位子の他の分子は前記ナノ構造の表面に結合していない、前記組成物。
【請求項２】
前記高分子配位子は異なる少なくとも２種類の単量体単位を含み、前記単量体単位のうちの少なくとも１種類は前記アミン部分を含み、前記単量体単位のうちの少なくとも１種類は前記アミン部分を含まない、請求項１に記載の組成物。
【請求項３】
（i）前記アミン部分を含む単量体単位が、前記配位子中に０．５％〜２０％の間のモルパーセントで存在し；または
（ii）前記アミン部分を含む単量体単位が、単量体単位あたり単一の第１級アミン部分を含み；または
（iii）前記アミン部分を含む単量体単位が、単量体単位あたり単一の第１級アミン部分および単一の第２級アミン部分を含み；または
（iv）前記高分子配位子が、１配位子分子あたり１〜２０個の第１級アミン部分を含む：請求項１に記載の組成物。
【請求項４】
（ａ）前記高分子配位子が次式：
【化１】
2012525467.tif 000001
（式中、Ｒは第１級アミン部分および／または第２級アミン部分を含む基であり、
Ｒ’およびＲ’’は、独立して、アルキルまたはアリール基であり、
ｍは正の整数であり、ｎは０または正の整数であり、
随意にＲ’およびＲ’’はメチル基である）
であるか；または
（ｂ）前記高分子配位子が以下のもの：
【化２】
2012525467.tif 000002
（式中、ｍおよびｎは正の整数である）
からなる群から選択されるか、
である、請求項１に記載の組成物。
【請求項５】
ナノ構造、第１の高分子配位子および第２の高分子配位子を含み、
前記の第１の高分子配位子がシリコーン骨格、ならびに前記シリコーン骨格に連結している１個以上の第１級アミンおよび／または第２級アミン部分を含み、この高分子配位子が次式：
【化３】
2012525467.tif 000003
（式中、Ｒは第１級アミン部分および／または第２級アミン部分を含む基であり、
Ｒ’およびＲ’’は、独立して、アルキルまたはアリール基であり、
ｍは正の整数であり、ｎは０または正の整数である）
であり、
前記第２の高分子配位子がシリコーン骨格ならびに前記第２の高分子配位子の末端サブユニットに連結している１個以上の第１級アミン部分および／または第２級アミン部分を含む、請求項４に記載の組成物。
【請求項６】
前記第２の高分子配位子が次式：
【化４】
2012525467.tif 000004
（式中、Ｒは前記第１級アミン部分および／または第２級アミン部分を含む基であり、
Ｒ’およびＲ’’は、独立して、アルキルまたはアリール基であり、
ｎは正の整数である）
であり、
随意に前記第２の高分子配位子が次式：
【化５】
2012525467.tif 000005
である、請求項５に記載の組成物。
【請求項７】
前記高分子配位子が次式：
【化６】
2012525467.tif 000006
（式中、Ｒは前記第１級アミン部分および／または第２級アミン部分を含む基であり、
Ｒ’およびＲ’’は、独立して、アルキルまたはアリール基であり、
Ｒ’’’はアルキル基、重合可能な基、アミン基を含む基、またはカルボン酸基を含む基であり、
ｘが正の整数であり、ｙが０または正の整数であり、ｎが０または正の整数であり、随意に
（ａ）Ｒ’およびＲ’’がメチル基であり、または
（ｂ）Ｒが第１級アミン部分および第２級アミン部分を含む）
である、請求項１に記載の組成物。
【請求項８】
前記ナノ構造が半導体ナノ結晶である、請求項１〜７のいずれかに記載の組成物。
【請求項９】
ナノ構造、高分子配位子および有機エポキシクロスリンカーを含み、前記高分子配位子がシリコーン骨格、ならびに前記シリコーン骨格に連結している１個以上の第１級アミンおよび／または第２級アミン部分を含む、請求項１に記載の組成物。
【請求項１０】
前記クロスリンカーが以下のもの：
【化７】
2012525467.tif 000007
【化８】
2012525467.tif 000008
からなる群から選択される、請求項９に記載の組成物。
【請求項１１】
前記有機重合体が炭化水素重合体である、請求項１〜１０のいずれかに記載の組成物。
【請求項１２】
請求項１に記載の複合材料物質の作製法であって、
ナノ構造（前記ナノ構造は前記ナノ構造の表面に結合している第１の高分子配位子を有し、前記第１の高分子配位子はシリコーン骨格および前記シリコーン骨格に連結している１個以上の第１級アミン部分および／または第２級アミン部分を含む）の集団を提供することと；
過剰の前記第１の高分子配位子（余分な第１の高分子配位子は、前記ナノ構造の表面に結合しない）を提供することと；
第２の高分子配位子（前記第２の高分子配位子はシリコーン骨格および前記第２の高分子配位子の末端サブユニットに連結している１個以上の第１級アミン部分および／または第２級アミン部分を含む）を提供することと；
前記ナノ構造に結合している前記第１の高分子配位子、余分な第１の高分子配位子および前記の第２の高分子配位子を、前記ナノ構造が埋め込まれるシリコーンマトリックスに組み込むことと：
を含む方法。
【請求項１３】
請求項１２に記載の方法によって得られる複合材料物質。
【請求項１４】
請求項１３に記載の複合材料物質を含む素子。
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
水溶性の感圧接着剤であって、
（ａ）Ｎ−ビニルカプロラクタムホモポリマー、Ｎ−ビニルピロリドンコポリマー、及びこれらの混合物からなる群から選択されるポリマーであって、前記Ｎ−ビニルピロリドンコポリマーが約６０重量％以下のＮ−ビニルピロリドンを含む、ポリマーと、
（ｂ）親水性−親油性バランスが約２〜約１０である一価又は多価アルコールを含む不揮発性可塑剤とを含む均質ブレンドを含む、感圧接着剤。
【請求項２】
可撓性裏材、及び請求項１に記載の感圧接着剤を該可撓性裏材の一方の面の少なくとも一部に含む、皮膚接触用途のためのデバイス。
【請求項３】
前記デバイスが、体表面に１つ以上の活性剤を送達するようデザインされたパッチであり、前記パッチが、前記裏材、前記感圧接着剤、又はその両方に関連して１つ以上の活性剤を含む、請求項２に記載のデバイス。
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
クラブラン酸塩を治療的に有効な量で含む、安定な経口製剤としての神経変性疾患を治療する医薬組成物であって、前記クラブラン酸塩がクラブラン酸、クラブラン酸誘導体またはクラブラン酸の医薬的に許容され得る塩からなる群より選ばれる、医薬組成物。
【請求項２】
クラブラン酸塩を治療的に有効な量で含む、安定な経口製剤としての神経保護を与える医薬組成物であって、前記クラブラン酸塩がクラブラン酸、クラブラン酸誘導体またはクラブラン酸の医薬的に許容され得る塩からなる群より選ばれる、医薬組成物。
【請求項３】
クラブラン酸塩を治療的に有効な量で含む、安定な経口製剤としての神経細胞の消失または死滅を防止する医薬組成物であって、クラブラン酸塩がクラブラン酸、クラブラン酸誘導体またはクラブラン酸の医薬的に許容され得る塩からなる群より選ばれる、医薬組成物。
【請求項４】
神経保護が、神経変性疾患に由来の細胞消失または細胞死を防止することを含む、請求項2に記載の医薬組成物。
【請求項５】
前記神経変性疾患が、パーキンソン病、アルツハイマー病、および多発性硬化症からなる群より選ばれる、請求項1または4に記載の医薬組成物。
【請求項６】
前記クラブラン酸塩が、クラブラン酸カリウムである、請求項1〜5のいずれか1項に記載の医薬組成物。
【請求項７】
前記経口製剤が、錠剤、カプセル剤、丸剤、トローチ剤、液剤、懸濁剤、バッカル錠、舌下錠、口腔内崩壊錠剤、薄膜または散剤の形である、請求項1〜6のいずれか1項に記載の医薬組成物。
【請求項８】
前記製剤が、クラブラン酸塩を少なくとも約4時間放出する持続放出組成物である、請求項1〜7のいずれか1項の医薬組成物。
【請求項９】
前記製剤が、クラブラン酸塩を約0.5時間未満で放出する即時放出組成物である、請求項1〜7のいずれか1項に記載の医薬組成物。
【請求項１０】
前記クラブラン酸カリウムが、クラブラン酸カリウム粉末、または二酸化ケイ素若しくは微結晶性セルロースとの1:1混合物としてのクラブラン酸カリウムである、請求項6に記載の医薬組成物。
【請求項１１】
前記製剤が、クラブラン酸塩と少なくとも1つの賦形剤とを混合し、クラブラン酸塩と前記少なくとも1つの賦形剤との混合物を造粒し、かつ、クラブラン酸塩と前記少なくとも1つの賦形剤との造粒混合物を凍結乾燥するプロセスによって調製される、請求項1〜10のいずれか1項に記載の医薬組成物。
【請求項１２】
前記製剤が、約0.001mg/kg/日〜約1.0mg/kg/日のクラブラン酸塩を与える量で投与される、請求項1〜11のいずれか1項に記載の医薬組成物。
【請求項１３】
前記製剤が、1日1回投与される、請求項1〜12のいずれか1項に記載の医薬組成物。
【請求項１４】
前記製剤が、複数回投与される、請求項1〜13のいずれか1項に記載の医薬組成物。
【請求項１５】
治療が、発作または振戦の頻度、発症時間または重症度を低減させることを含む、請求項1〜14のいずれか1項に記載の医薬組成物。
【請求項１６】
治療が、記憶喪失を減じることを含む、請求項1〜15のいずれか1項に記載の医薬組成物。
【請求項１７】
治療が、神経細胞死を減少させることを含む、請求項1〜16のいずれか1項に記載の医薬組成物。
【請求項１８】
前記製剤が、マトリックス、充填剤、流動促進剤、および滑沢剤の1つ以上を含む、請求項1〜17のいずれか1項に記載の医薬組成物。
【請求項１９】
前記マトリックスが、メトセル(Methocel) K100LV Prem CR、ユードラジット(Eudragit) S100、カルボポール(Carbopol) 971P、カルボポール(Carbopol) 974P、メタクリレートコポリマータイプAおよびメタクリレートコポリマータイプBおよびこれらの混合物からなる群より選ばれ、前記充填剤が、無水ラクトース、アビセル(Avicel) PH-112、アビセル(Avicel) PH-113、イソマルト(Isomalt)、およびこれらの混合物からなる群より選ばれ; 前記流動促進剤が、カルボシル(Carbosil)であり、前記滑沢剤が、ステアリン酸マグネシウムおよびタルクのうちの少なくとも1つである、請求項18に記載の医薬組成物。
【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
神経変性障害の治療を必要とする被験体における神経変性障害を治療するための、有効量のマンネンタケ（Ganoderma lucidum）エキスを含む薬学的組成物。
【請求項２】
マンネンタケエキスがマンネンタケの子実体から低温抽出により得られる、請求項1記載の薬学的組成物。
【請求項３】
マンネンタケの子実体に対する収率約0.6%（w/w）で多糖が得られる、請求項2記載の薬学的組成物。
【請求項４】
マンネンタケの子実体に対する収率約0.35%（w/w）でエルゴステロールが得られる、請求項2記載の薬学的組成物。
【請求項５】
被験体がヒトである、請求項1記載の薬学的組成物。
【請求項６】
炎症を軽減させる、請求項1記載の薬学的組成物。
【請求項７】
炎症が神経炎症である、請求項6記載の薬学的組成物。
【請求項８】
TNF-αの産生を低下させる、請求項1記載の薬学的組成物。
【請求項９】
IL-1βの産生を低下させる、請求項1記載の薬学的組成物。
【請求項１０】
活性酸素種の産生を低下させる、請求項1記載の薬学的組成物。
【請求項１１】
一酸化窒素の産生を低下させる、請求項1記載の薬学的組成物。
【請求項１２】
スーパーオキシドの産生を低下させる、請求項1記載の薬学的組成物。
【請求項１３】
神経変性障害が、パーキンソン病、アルツハイマー病、筋萎縮性側索硬化症（ALS）、多発性硬化症、末梢性ニューロパシー、帯状疱疹、脳卒中、統合失調症、てんかん、ダウン症候群およびターナー症候群からなる群より選択される、請求項1記載の薬学的組成物。
【請求項１４】
神経変性障害がパーキンソン病またはアルツハイマー病である、請求項13記載の薬学的組成物。
【請求項１５】
黒質におけるミクログリアの活性化を阻害するための有効量のマンネンタケエキスを含む薬学的組成物。
【請求項１６】
マンネンタケエキスの有効量が100μg/ml超である、請求項15記載の薬学的組成物。
【請求項１７】
マンネンタケエキスがマンネンタケの子実体から低温抽出により産生される、請求項15記載の薬学的組成物。
【請求項１８】
TNF-αの産生を低下させる、請求項15記載の薬学的組成物。
【請求項１９】
IL-1βの産生を低下させる、請求項15記載の薬学的組成物。
【請求項２０】
マンネンタケエキスおよび医学的に許容できる担体を含む、組成物。
【手続補正２】
【補正対象書類名】明細書
【補正対象項目名】００１８
【補正方法】変更
【補正の内容】
【００１８】
したがって、本発明は、神経変性障害に罹患した患者を治療するための方法であって、それを必要とする患者に有効量のマンネンタケエキスを投与する工程を包含する方法を提供する。
[本発明1001]
神経変性障害を治療する方法であって、そのような治療を必要とする被験体に有効量のマンネンタケ（Ganoderma lucidum）エキスを投与する工程を含む、方法。
[本発明1002]
マンネンタケエキスがマンネンタケの子実体から低温抽出により得られる、本発明1001の方法。
[本発明1003]
マンネンタケの子実体に対する収率約0.6%（w/w）で多糖が得られる、本発明1002の方法。
[本発明1004]
マンネンタケの子実体に対する収率約0.35%（w/w）でエルゴステロールが得られる、本発明1002の方法。
[本発明1005]
被験体がヒトである、本発明1001の方法。
[本発明1006]
炎症を軽減させる、本発明1001の方法。
[本発明1007]
炎症が神経炎症である、本発明1006の方法。
[本発明1008]
TNF-αの産生を低下させる、本発明1001の方法。
[本発明1009]
IL-1βの産生を低下させる、本発明1001の方法。
[本発明1010]
活性酸素種の産生を低下させる、本発明1001の方法。
[本発明1011]
一酸化窒素の産生を低下させる、本発明1001の方法。
[本発明1012]
スーパーオキシドの産生を低下させる、本発明1001の方法。
[本発明1013]
神経変性障害が、パーキンソン病、アルツハイマー病、筋萎縮性側索硬化症（ALS）、多発性硬化症、末梢性ニューロパシー、帯状疱疹、脳卒中、統合失調症、てんかん、ダウン症候群およびターナー症候群からなる群より選択される、本発明1001の方法。
[本発明1014]
神経変性障害がパーキンソン病またはアルツハイマー病である、本発明1013の方法。
[本発明1015]
黒質におけるミクログリアの活性化を阻害する方法であって、ミクログリアに有効量のマンネンタケエキスを接触させる工程を含む、方法。
[本発明1016]
マンネンタケエキスの有効量が100μg/ml超である、本発明1015の方法。
[本発明1017]
マンネンタケエキスがマンネンタケの子実体から低温抽出により産生される、本発明1015の方法。
[本発明1018]
TNF-αの産生を低下させる、本発明1015の方法。
[本発明1019]
IL-1βの産生を低下させる、本発明1015の方法。
[本発明1020]
マンネンタケエキスおよび医学的に許容できる担体を含む、組成物。
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
ビロキサジンを含む、患者におけるうつ病又はうつ病関連障害を治療するために用いられる薬学的組成物であって、約１．９５ｍｇ／ｋｇ／日未満の用量のビロキサジンが該患者に投与されるように用いられ、約１．９５ｍｇ／ｋｇ／日より大きい用量のビロキサジンの有害作用の頻度又は重篤度を低下させる、薬学的組成物。
【請求項２】
うつ病又はうつ病関連障害を治療するための作用物質の最適な総投与量を決定する方法であって、
ａ．セロトニン又はノルアドレナリン作動性再取り込みトランスポーターを阻害する既知の活性を有する活性な作用物質を複数選択すること、
ｂ．うつ病を抑制することが知られている、又は反対の活性がうつ病と関連する、少なくとも１つのドーパミン作動性受容体、セロトニン作動性受容体又はＧＡＢＡ作動性受容体に対する活性を特定するためにこれらの前記作用物質に対して受容体のスクリーニングアッセイを行うこと、
ｃ．前記活性が本来的に作動性か、又は拮抗性かを確定すること、
ｄ．工程ｂ）及び工程ｃ）の結果により、スクリーニングされた前記活性な作用物質の中から最も多様な型のうつ病関連受容体を標的とするものを少なくとも１つ選択すること、
ｅ．工程ｂ）〜工程ｄ）の結果を考慮して、前記活性な作用物質（複数も可）の総投与量を最適化すること
を含む、方法。
【請求項３】
セロトニン又はノルアドレナリンの作動性再取り込み阻害及び５−ＨＴ７拮抗活性の組合せを示す薬学的作用物質を含む、うつ病及び／又はうつ病関連障害を治療するために用いられる薬学的組成物であって、該薬学的作用物質の総投与量がノルアドレナリン作動性再取り込みトランスポーター活性のみに基づいて予測される投与量未満である、薬学的組成物。
【請求項４】
前記薬学的作用物質がビロキサジンである、請求項３に記載の薬学的組成物。
【請求項５】
前記薬学的作用物質が２０ｍｇ／日〜８００ｍｇ／日の用量範囲で投与される、請求項３に記載の薬学的組成物。
【請求項６】
前記薬学的作用物質が１．１ｍｇ／ｋｇ／日〜９．７ｍｇ／ｋｇ／日の用量範囲で投与される、請求項３に記載の薬学的組成物。
【請求項７】
前記薬学的作用物質の用量が、２．１４ｍｇ／ｋｇより１５％少ない、２５％少ない、３５％少ない、又は５０％少ない、請求項３に記載の薬学的組成物。
【請求項８】
ビロキサジン投与と関連した副作用の低減が存在する、請求項４に記載の薬学的組成物。
【請求項９】
約１００ｍｇ未満のビロキサジンと薬学的担体とを含む、患者におけるうつ病又はうつ病性障害を治療する薬学的組成物。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
中空ガラス微小球およびポリマーの複合体であって、
（ａ）前記複合体を基準として０．００５〜８重量％の界面改質剤の被覆を有する、粒度が５μｍを超える中空ガラス微小球を３０〜８７容量％と、
（ｂ）ポリマーの相と、
を含む複合体。
【請求項２】
前記複合体の密度が０．２〜５ｇ・ｃｍ−３である、ことを特徴とする請求項１に記載の複合体。
【請求項３】
前記ポリマーの密度が１．７ｇ・ｃｍ−３を超える、ことを特徴とする請求項１に記載の複合体。
【請求項４】
前記複合体の引張強さが前記ポリマーの０．１〜１０倍である、ことを特徴とする請求項１に記載の複合体。
【請求項５】
前記複合体の引張伸びが前記ポリマーの５％〜１００％である、ことを特徴とする請求項１に記載の複合体。
【請求項６】
前記複合体の引張強さが少なくとも０．２ＭＰａであり、剪断速度が少なくとも５ｓｅｃ−１である、ことを特徴とする請求項１に記載の複合体。
【請求項７】
前記複合体が、３０容量％を超える前記中空ガラス微小球を含む、ことを特徴とする請求項１に記載の複合体。
【請求項８】
前記中空ガラス微小球の粒度ＰＳが５〜３００μｍである、ことを特徴とする請求項１に記載の複合体。
【請求項９】
粒度（Ｐｓ）が５〜１０００μｍである中実ガラス球体をさらに含む、ことを特徴とする請求項１に記載の複合体。
【請求項１０】
前記ポリマーは、高密度ポリオレフィンを含む、ことを特徴とする請求項１に記載の複合体。
【請求項１１】
中空ガラス微小球およびポリマーの複合体であって、
（ａ）密度が０．１０ｇ・ｃｍ−３を超えて５ｇ・ｃｍ−３未満であり、粒度が８μｍを超える中空ガラス微小球を９０〜３０容量％と、
（ｂ）ポリマーの相を１０〜７０容量％と
を含み、
前記微小球が、界面改質剤を０．００５〜３重量％含む被覆を有し、かつ
前記複合体の密度が０．２０〜１５ｇ・ｃｍ−３である、ことを特徴とする複合体。
【請求項１２】
前記複合体の密度が０．２〜５ｇ・ｃｍ−３である、ことを特徴とする請求項１１に記載の複合体。
【請求項１３】
請求項１１に記載の複合体を含む成形品であって、
前記複合体は、８７〜５０容量％の中空ガラス微小球を含み、前記中空ガラス微小球は、その少なくとも１０重量％が１０〜１００ミクロンの範囲にあり、その少なくとも１０重量％が１００〜１０００ミクロンの範囲にある粒度分布を有する、ことを特徴とする成形品。
【請求項１４】
前記複合体の密度が０．２〜０．８ｇ・ｃｍ−３である、ことを特徴とする請求項１２に記載の物品。
【請求項１５】
タイヤゴム配合物であって、
（ａ）加硫可能なゴムと、
（ｂ）０．０００５〜８重量％の界面改質剤の被覆を有する中空ガラス微小球と、
を含むことを特徴とするタイヤゴム配合物。
【請求項１６】
タイヤゴム配合物を配合する方法であって、前記方法は、０．０００５〜８重量％の界面改質剤の被覆を有する中空ガラス微小球を、未加硫ゴムを含む混練機中のタイヤ配合物に加える工程を含む、ことを特徴とする方法。
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
ヘレグリンと複合体を形成していないHER3に結合し、かつ複合体形成していないHER3への結合と比較してより高い親和性でHER3:ヘレグリン（heregulin）複合体に結合する、その断片および組み換え型を含むモノクローナル抗体。
【請求項２】
少なくとも5 nMの親和性でヘレグリンと複合体を形成していないHER3に結合し、かつHER3に結合する親和性の少なくとも5倍の親和性でHER3:ヘレグリン複合体に結合する、請求項1記載の抗体。
【請求項３】
重鎖が、CDR1:GYTFTDYVS (SEQ ID NO:4)、CDR2:IYPSGRY (SEQ ID NO:5)およびCDR3:TRSLQRLRYFDV (SEQ ID NO:6)を含む、請求項1記載の抗体。
【請求項４】
軽鎖が、CDR1:RASQSISDYLH (SEQ ID NO:10)、CDR2:YGSQSIS (SEQ ID NO:11)およびCDR3:QQSNSWPLT (SEQ ID NO:12)を含む、請求項3記載の抗体。
【請求項５】
IG4またはその断片である、請求項1記載の抗体。
【請求項６】
ヒトもしくはヒト化である、または一本鎖抗体である、請求項1〜4のいずれか一項記載の抗体。
【請求項７】
細胞傷害剤に、または化学療法剤に連結された、請求項1〜6のいずれか一項記載の抗体の結合体。
【請求項８】
標識に連結された、請求項1〜6のいずれか一項記載の抗体の結合体。
【請求項９】
請求項1〜6のいずれか一項記載の抗体または請求項7記載の結合体を含有する、薬学的組成物。
【請求項１０】
請求項1〜6のいずれか一項記載の抗体をコードするヌクレオチド配列を含む、一又は複数の核酸分子。
【請求項１１】
発現のための制御配列に機能的に連結した、請求項10記載のコードするヌクレオチド配列を含む、組換え発現系。
【請求項１２】
請求項11記載の発現系を含有する、組換え宿主細胞。
【請求項１３】
HER3に結合するが、複合体形成していないHER3への結合と比較してより高い親和性でHER3:ヘレグリン（heregulin）複合体に結合する、その断片を含むモノクローナル抗体を産生する方法であって、請求項12記載の細胞を培養する段階、および該抗体を回収する段階を含む、前記方法。
【請求項１４】
前記腫瘍の生検材料を請求項1〜6のいずれか一項記載の抗体もしくは断片または請求項8記載の結合体と接触させる段階、および形成される複合体のレベルを非共役型HER3に結合する抗体で形成される任意の複合体と比較して測定する段階を含む、HER3:ヘレグリン複合体の存在について腫瘍を評価する方法。
【請求項１５】
対象における癌を治療するための、請求項9記載の組成物。
【手続補正２】
【補正対象書類名】明細書
【補正対象項目名】０００８
【補正方法】変更
【補正の内容】
【０００８】
発明の開示
複合体形成していないHER3よりも、ヘレグリンと複合体形成した時のHER3にずっと高い親和性で結合する抗体を取得することが可能であることが今や知られている。そのような抗体は、ヘレグリンまたは類似のアゴニストペプチドを分泌し、従って正常細胞よりも高いレベルでシグナル伝達カスケードを刺激する腫瘍細胞の状況において最も有効であるため、特に価値がある。これは、浸潤性増殖特性において最も攻撃的であるそれらの腫瘍細胞への処置の特異性を増強し、一方で強力に刺激されていない正常細胞への毒性を最小化する。さらに、新規抗体は、HER1およびHER3を過剰発現する細胞においてシグナル伝達を遮断するのに有効であり、望ましい「全HER」活性を提供する（Huang, Z, et al., Expert Opin Biol Ther. (2009) 9:97-110）。
[本発明1001]
複合体形成していないHER3と比較してより高い親和性でHER3:ヘレグリン（heregulin）複合体に結合する、その断片および組み換え型を含むモノクローナル抗体。
[本発明1002]
少なくとも5 nMの親和性でHER3に結合し、かつHER3に結合する親和性の少なくとも5倍の親和性でHER3:ヘレグリン複合体に結合する、本発明1001の抗体または断片。
[本発明1003]
1G4またはその断片である、本発明1001の抗体。
[本発明1004]
ヒトまたはヒト化である、本発明1001〜1003のいずれかの抗体。
[本発明1005]
組み換えで調製される、本発明1001〜1004のいずれかの抗体。
[本発明1006]
一本鎖抗体である、本発明1005の抗体。
[本発明1007]
細胞傷害剤に連結された、本発明1005の抗体または断片の結合体。
[本発明1008]
化学療法剤に連結された、本発明1005の抗体の結合体。
[本発明1009]
本発明1005の抗体または断片を含有する薬学的組成物。
[本発明1010]
本発明1007または1008の結合体を含有する薬学的組成物。
[本発明1011]
有効量の本発明1005の抗体を、そのような処置を必要とする対象へ投与する段階を含む、対象において癌を処置する方法。
[本発明1012]
有効量の本発明1007または1008の結合体を、そのような処置を必要とする対象へ投与する段階を含む、対象において癌を処置する方法。
[本発明1013]
対象がヒトであり、かつ抗体がヒトまたはヒト化である、本発明1011または1012の方法。
[本発明1014]
HER3:ヘレグリン複合体の存在について対象の腫瘍を評価する段階をさらに含む、本発明1011または1012の方法。
[本発明1015]
腫瘍またはその生検材料を本発明1001の抗体または断片と接触させる段階、および形成される複合体のレベルを非共役型HER3に結合する抗体で形成される任意の複合体と比較して測定する段階を含む、HER3:ヘレグリン複合体の存在について腫瘍を評価する方法。
[本発明1016]
以下の重鎖を有する本発明1001の抗体または断片。
2012525432.tif 000001
[本発明1017]
以下の軽鎖を有する本発明1001の抗体または断片。
2012525432.tif 000002
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
下記：
【化１８５】
2012525440.tif 000001
［式中：
Ｇ１は、（Ｃ１−Ｃ４）アルキル、（Ｃ１−Ｃ４）アルコキシ、（Ｃ１−Ｃ４）ハロアルキル、（Ｃ１−Ｃ４）ハロアルコキシ、ハロゲン、シアノ又はニトロであり；
ｎは、０、１又は２であり；
Ｇ２ａは、（Ｃ１−Ｃ４）アルキル、（Ｃ１−Ｃ２）ハロアルキル、（Ｃ３−Ｃ４）シクロアルキル又は（Ｃ３−Ｃ４）シクロアルキル（Ｃ１−Ｃ２）アルキルであり；
Ｇ２ｂは、水素、メチル又はエチルであり；
Ｒ１は、メチル又はエチルであり；
Ｒ２は、フェニル又はフルオロフェニルであり；そして
Ｒ３は、２−ヒドロキシ−２−メチルプロピル又は２−シアノ−２−メチルプロピルである］
から選択される構造式によって表される化合物の水和物、又はその薬学的に許容しうる塩。
【請求項２】
ｎが、０である、請求項１記載の水和物。
【請求項３】
化合物が、以下の構造式；
【化１８６】
2012525440.tif 000002
によって表される、請求項１記載の水和物、又はその薬学的に許容しうる塩。
【請求項４】
化合物が、以下の構造式：
【化１８７】
2012525440.tif 000003
によって表される、請求項１記載の水和物、又はその薬学的に許容しうる塩。
【請求項５】
化合物が、以下の構造式：
【化１８８】
2012525440.tif 000004
によって表される、請求項１記載の水和物、又はその薬学的に許容しうる塩。
【請求項６】
化合物が、以下の構造式：
【化１８９】
2012525440.tif 000005
によって表される、請求項１記載の水和物、又はその薬学的に許容しうる塩。
【請求項７】
化合物が、以下の構造式：
【化１９０】
2012525440.tif 000006
によって表される、請求項１記載の水和物、又はその薬学的に許容しうる塩。
【請求項８】
化合物が、以下の構造式：
【化１９１】
2012525440.tif 000007
によって表される、請求項１記載の水和物、又はその薬学的に許容しうる塩。
【請求項９】
化合物が、以下の構造式：
【化１９２】
2012525440.tif 000008
によって表される、請求項１記載の水和物、又はその薬学的に許容しうる塩。
【請求項１０】
化合物が、一水和物である、請求項１〜９のいずれか一項記載の水和物。
【請求項１１】
ｉ）薬学的に許容しうる担体又は希釈剤；及びii）請求項１〜１０のいずれか一項記載の水和物を含む、医薬組成物。
【請求項１２】
１１β−ＨＳＤ１の活性又は発現に関連する疾患を持つヒトの処置のための、請求項１〜１０のいずれか一項記載の水和物を含む、医薬組成物。
【請求項１３】
１１β−ＨＳＤ１活性の阻害のための、請求項１〜１０のいずれか一項記載の水和物を含む、医薬組成物。
【請求項１４】
１１β−ＨＳＤ１の活性又は発現に関連する疾患の処置のための医薬の製造のための、請求項１〜１０のいずれか一項記載の水和物の使用。
【請求項１５】
１１β−ＨＳＤ１活性の阻害を必要とするヒトの処置のための医薬の製造のための、請求項１〜１０のいずれか一項記載の水和物の使用。
【請求項１６】
疾患が、糖尿病である、請求項１２記載の医薬組成物。
【請求項１７】
化合物が、以下の構造式：
【化１９３】
2012525440.tif 000009
によって表され、ここで、該化合物は一水和物の結晶である、化合物。
【請求項１８】
化合物が、単斜晶系の空間群Ｐ２１で結晶化する、請求項１７記載の化合物。
【請求項１９】
１１β−ＨＳＤ１の活性又は発現に関連する疾患の処置に使用するための、ｉ）薬学的に許容される単体又は希釈剤；及びii）請求項１７記載の化合物を含む、医薬組成物。
【請求項２０】
１１β−ＨＳＤ１の活性又は発現に関連する疾患の処置のための医薬の製造における、請求項１７又は１８記載の化合物の使用。
【請求項２１】
疾患が、糖尿病である、請求項２０記載の使用。
【請求項２２】
化合物が、以下の構造式：
【化１９４】
2012525440.tif 000010
によって表され、ここで、該化合物は一水和物の結晶である、化合物。
【請求項２３】
化合物が、斜方晶系の空間群Ｐ２１２１２１で結晶化する、請求項２２記載の化合物。
【請求項２４】
化合物が、ＣｕＫα１放射を用いての２θ角８．７１、１２．９３及び１９．１６度（±０．０５度）のＸ線粉末回折ピークにより特徴づけられる、請求項２２記載の化合物。
【請求項２５】
化合物が、ＣｕＫα１放射を用いての２θ角８．７１、１２．９３、１９．１６、１９．４５及び２１．０６度（±０．０５度）のＸ線粉末回折ピークにより特徴づけられる、請求項２４記載の化合物。
【請求項２６】
１１β−ＨＳＤ１の活性又は発現に関連する疾患の処置に使用するための、ｉ）薬学的に許容される単体又は希釈剤；及びii）請求項２２記載の化合物を含む、医薬組成物。
【請求項２７】
１１β−ＨＳＤ１の活性又は発現に関連する疾患の処置のための医薬の製造における、請求項２２〜２５のいずれか一項記載の化合物の使用。
【請求項２８】
疾患が、糖尿病である、請求項２７記載の使用。
【請求項２９】
化合物が、以下の構造式：
【化１９５】
2012525440.tif 000011
によって表され、ここで、該化合物は一水和物の結晶である、化合物。
【請求項３０】
化合物が、斜方晶系の空間群Ｐ２１２１２１で結晶化する、請求項２９記載の化合物。
【請求項３１】
化合物が、ＣｕＫα１放射を用いての２θ角２１．００、２１．７２及び２３．９８度（±０．０５度）のＸ線粉末回折ピークにより特徴づけられる、請求項２９記載の化合物。
【請求項３２】
化合物が、ＣｕＫα１放射を用いての２θ角１４，２５、２１．００、２１．７２、２３．１０、２３．９８及び２７．０４度（±０．０５度）のＸ線粉末回折ピークにより特徴づけられる、請求項３１に記載の化合物。
【請求項３３】
１１β−ＨＳＤ１の活性又は発現に関連する疾患の処置に使用するための、ｉ）薬学的に許容される単体又は希釈剤；及びii）請求項２９記載の化合物を含む、医薬組成物。
【請求項３４】
１１β−ＨＳＤ１の活性又は発現に関連する疾患の処置のための医薬の製造における、請求項２９〜３２のいずれか一項記載の化合物の使用。
【請求項３５】
疾患が、糖尿病である、請求項３４記載の使用。
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
希釈剤；
希釈剤中に懸濁された微粒状駆除薬；
増粘剤；および
ココナッツ脂肪酸カリウムおよびアルファオレフィンスルホネートを含む界面活性剤系
を含む、即時使用可能な発泡性駆除薬組成物。
【請求項２】
増粘剤が、ベントナイトクレイ、キサンタンガム、グアーガム、アラビアガム、アルギニン、トラガカントガムおよびアルギン酸ナトリウムからなる群より選択される、請求項1に記載の即時使用可能な発泡性駆除薬組成物。
【請求項３】
泡安定剤を含む、請求項1または2に記載の即時使用可能な発泡性駆除薬組成物。
【請求項４】
希釈剤が水である、請求項1〜3のいずれか1項に記載の即時使用可能な発泡性駆除薬組成物。
【請求項５】
微粒状駆除薬がフィプロニルである、請求項1〜4のいずれか1項に記載の即時使用可能な発泡性駆除薬組成物。
【請求項６】
組成物がフィプロニル安定剤化合物を含む、請求項5に記載の即時使用可能な発泡性駆除薬組成物。
【請求項７】
組成物が、約2:1以上、または約10:1以上、約25:1以上、約2:1〜約60:1、もしくは約10:1〜約40:1の泡膨張率を特徴とする、請求項1〜6のいずれか1項に記載の即時使用可能な発泡性駆除薬組成物。
【請求項８】
組成物が噴射剤を含み、駆除薬組成物中の噴射剤の総量が組成物の約1重量％以上である、請求項1〜7のいずれか1項に記載の即時使用可能な発泡性駆除薬組成物。
【請求項９】
組成物が約6.5〜約8のpHを特徴とする、請求項1〜8のいずれか1項に記載の即時使用可能な発泡性駆除薬組成物。
【請求項１０】
請求項1〜9のいずれか1項に記載の即時使用可能な発泡性駆除薬組成物を、標的の表面、空間、空隙または隙間に施用することを含み、組成物が施用後に泡の相となる、有害生物を防除する方法。
【請求項１１】
駆除薬を有害生物に施用するための駆除薬施用装置であって、容器および請求項1〜9のいずれか1項に記載の即時使用可能な発泡性駆除薬組成物を含む、前記施用装置。
【請求項１２】
請求項11に記載の駆除薬施用装置の容器から駆除薬組成物を供給すること、および該組成物を標的の表面、空間、空隙または隙間に施用することを含み、該組成物が施用後に泡の相となる、有害生物を防除する方法。
【請求項１３】
有害生物を、駆除効果を有する量の、希釈剤、希釈剤中に懸濁された微粒状駆除薬、増粘剤、および、ココナッツ脂肪酸カリウムおよびアルファオレフィンスルホネートを含む界面活性剤系を含む組成物と接触させることを含む、有害生物を防除する方法。
【請求項１４】
微粒状駆除薬がフィプロニルである、請求項13に記載の方法。